(57)【要約】      （修正有）【課題】心拍の測定に係る計測用ベルトの位置ずれ、落下を一段と簡易な手法により防止するウエアを提供する。【解決手段】アンダーウエア１１の胸部（１２Ａ）に順次第１から第４の開口ＳＬ１〜ＳＬ４を設け、この第１から第４の開口ＳＬ１〜ＳＬ４を順次挿通して計測用ベルトを装着できるようにし、ウエア１１を有効に利用して計測用ベルトの位置ずれ、落下を防止する。【選択図】図３
0003172918.tif 000002
【実用新案登録請求の範囲】
【請求項１】
心拍を計測する計測用ベルトを胸の部分に装着するウエアであって、
前記計測用ベルトは、
心拍計測用の第１及び第２の電極が長手方向の内側面に順次設けられ、前記第１及び第２の電極間の表側面に、前記第１及び第２の電極を介して心拍を計測して計測結果を送信する送信部が設けられ、
前記ウエアは、
前記計測用ベルトの装着箇所に対応する部位であって、前記計測用ベルトの長手方向に、順次、第１から第４の縦長の開口が設けられ、
前記第１から第４の開口に順次前記計測用ベルトを挿通することにより、
前記第１及び第２の開口の間では、前記計測用ベルトが内側に露出するように保持して前記第１の電極を内側に露出させて、
前記第２及び第３の開口の間では、前記計測用ベルトが外側に露出するように保持して前記送信部を外側に露出させて、
前記第３及び第４の開口の間では、前記計測用ベルトが内側に露出するように保持して前記第２の電極を内側に露出させて、
前記計測用ベルトを前記第１〜第４の開口を介して保持する
ウエア。
【請求項２】
前記計測用ベルトの装着個所に対応する部位に、帯状に、装着領域が設けられ、
前記装着領域は、他の部位とは異なる材料が配置され、
前記装着領域に、前記第１から第４の開口が設けられた
請求項１に記載のウエア。
【考案の詳細な説明】
【技術分野】
【０００１】
本考案は、運動中に心拍を測定する場合等に使用するウエアに関する。
【背景技術】
【０００２】
従来より、計測用ベルトを胸部に巻き付け、この計測用ベルトに設けられた電極を介して心拍を測定する方法が提供されている。この心拍の測定では、電極の位置がずれると、正しく心拍を測定できなくなる。このためこの心拍の測定では、運動等により計測用ベルトが位置ずれしたり、落下したりしないようにすることが必要である。そこで従来、この種の測定では、測定ベルトをきつく巻き付けて、測定ベルトの位置ずれ、落下を防止している。
【０００３】
このような測定ベルトの位置ずれ、落下の防止に関して、例えば特表２００９−５１８０５７号公報には、肩掛けベルトにより胸部に巻き付けた計測用ベルトの位置ずれ、落下を防止する工夫が開示されている。
【先行技術文献】
【特許文献】
【０００４】
【特許文献１】特表２００９−５１８０５７号公報
【考案の概要】
【考案が解決しようとする課題】
【０００５】
ところで計測用ベルトの位置ずれ、落下を一段と簡易な手法により防止することができれば、この種の測定システムの適用分野を一段と拡大して便利であると考えられる。
【０００６】
本考案は、以上の点を考慮してなされたもので、心拍の測定に係る計測用ベルトの位置ずれ、落下を一段と簡易な手法により防止することを目的とする。
【課題を解決するための手段】
【０００７】
本考案者らは、アンダーウエア等のウエアを利用して計測用ベルトの位置ずれ、落下を防止するとの着想を見出し、本考案を完成するに至った。
【０００８】
（１）  心拍を計測する計測用ベルトを胸の部分に装着するウエアであって、
前記計測用ベルトは、
心拍計測用の第１及び第２の電極が長手方向の内側面に順次設けられ、前記第１及び第２の電極間の表側面に、前記第１及び第２の電極を介して心拍を計測して計測結果を送信する送信部が設けられ、
前記ウエアは、
前記計測用ベルトの装着箇所に対応する部位であって、前記計測用ベルトの長手方向に、順次、第１から第４の開口が設けられ、
前記第１から第４の開口に順次前記計測用ベルトを挿通することにより、
前記第１及び第２の開口の間では、前記計測用ベルトが内側に露出するように保持して前記第１の電極を内側に露出させて、
前記第２及び第３の開口の間では、前記計測用ベルトが外側に露出するように保持して前記送信部を外側に露出させて、
前記第３及び第４の開口の間では、前記計測用ベルトが内側に露出するように保持して前記第２の電極を内側に露出させて、
前記計測用ベルトを前記第１〜第４の開口を介して保持する。
【０００９】
（１）によれば、第１及び第２の電極が胸に接触するように保持することにより、心拍を測定可能な状態に計測用ベルトを保持して、第１〜第４の開口により計測用ベルトの位置ずれ、落下を防止することができる。これによりわざわざ落下防止用の肩掛けベルト等の構成を設けなくても、ウエアを有効に利用して計測用ベルトの位置ずれ、落下を防止することができ、心拍の測定に係る計測用ベルトの位置ずれ、落下を簡易な手法により防止することができる。
【００１０】
（２）  （１）において、
前記計測用ベルトの装着個所に対応する部位に、帯状に、装着領域が設けられ、
前記装着領域は、他の部位とは異なる材料が配置され、
前記装着領域に、前記第１から第４の開口が設けられる。
【００１１】
（２）によれば、計測用ベルトを支えることになる第１〜第４の開口の部位に、他の個所と異なる丈夫な材料による布材等を適用して、強度を確保することができる。
【考案の効果】
【００１２】
本考案によれば、心拍の測定に係る計測用ベルトの位置ずれ、落下を簡易な手法により防止することができる。
【図面の簡単な説明】
【００１３】
【図１】本考案の実施形態に係るウエアの説明に供する図である。
【図２】図１のウエアに係る拍計測システムを示す図である。
【図３】図１のウエアの詳細の説明に供する図である。
【考案を実施するための形態】
【００１４】
以下、本考案の実施形態について図面を参照しながら説明する。
【００１５】
〔第１実施形態〕
図２は、本考案の第１実施形態に係る心拍計測システムを示す図である。この心拍計測システム１は、人体の胸部に保持した計測用ベルト２からの無線通信により、計測用ベルト２を装着したユーザの心拍数を、他の各種の情報と共にモニタ装置３で表示する。このためモニタ装置３は、計測用ベルト２からの無線通信波を受信する無線通信部、表示に供する情報を取得するための各種インターフェース、情報を表示するディスプレイ、動作用の電源等が設けられる。
【００１６】
計測用ベルト２は、胸部を周回する形状により作製される。計測用ベルト２は、胸部に巻き付けた際の両脇に対応する箇所に接続部２Ａ、２Ｂが設けられ、この接続部２Ａ、２Ｂの操作により、前側ベルト４と、背面側ベルト５とにより分離される。また背面側ベルト５は、途中に、長さを調整する長さ調整部５Ａが設けられる。これらにより計測用ベルト２は、直接、人体に装着する場合には、一方の接続部２Ａ又は２Ｂの操作により前側ベルト４と背面側ベルト５とを接続して１本のベルトとした後、この１本のベルトを胸部に巻き付けて残る接続部２Ｂ又は２Ａにより接続して装着する。また長さ調整部５Ａにより背面側ベルト５の長さを調整して巻き付けの強度を調整する。なおこの実施形態において、接続部２Ａ、２Ｂは、前側ベルト４の端部に設けられた突片を、背面側ベルト５の端部に設けられた溝に挿入して前側ベルト４及び背面側ベルト５を接続するものの、この接続に係る構成については種々の構成を適用することができる。また計測用ベルト２は、接続部が２箇所である場合の他、接続部が１箇所である場合等、種々の構成による計測用ベルトを広く適用することができる。
【００１７】
計測用ベルト２において、前側ベルト４は、正面に、送信部７が設けられ、またこの送信部７より一定の距離だけそれぞれ接続部２Ａ、２Ｂ側に変位した箇所、計測用ベルト２の内側に電極８Ａ、８Ｂが設けられる。送信部７は、電極８Ａ、８Ｂを介して心拍を検出し、この心拍の時間間隔の計測により瞬時心拍数を計測する。また計測結果を無線通信波によりモニタ装置３に送信する。
【００１８】
これらによりこの心拍計測システム１は、胸部に装着した計測用ベルト２によりユーザのその時々の心拍数を計測し、この計測結果をモニタ装置３により確認することができる。従って例えば自転車競技、マラソン競技等において、選手の体調管理、心肺能力の把握に利用したり、さらには各種の運動、作業において、種々に利用することができる。
【００１９】
しかしながらユーザにおける運動が激しい場合には、胸部に装着した計測用ベルト２が位置ずれしたり、落下したりする恐れがあり、これにより正常に心拍数を計測できない恐れがある。これを防止するためにきつく計測用ベルト２を装着する方法もあるが、この場合には、多少なりとも胸部を圧迫することになり、不快感を生じさせ、著しい場合には心肺機能を低下させることになる。そこでこの実施形態では、専用のアンダーウエアを介して計測用ベルト２を装着して、計測用ベルト２の位置ずれ、落下を防止する。
【００２０】
図３は、このアンダーウエアを示す図である。アンダーウエア１１は、前身頃１２と後身頃１３とを側方で縫い合わせて一体化し、さらに袖１４Ａ、１４Ｂを縫い合わせて作製される。前身頃１２は、胸の部分に、計測用ベルト２の装着領域１２Ａが設けられる。ここでこの装着領域１２Ａは、計測用ベルト２の幅より幅広に設定されて、水平方向に帯状に設定される。アンダーウエア１１は、この装着領域１２Ａに隣接する上側領域及び下側領域が、他の部位と同様に吸湿性に優れ、通気性に優れたメッシュ材により作製される。これに対してこの装着領域１２Ａは、この他の部位に割り当てられたメッシュ材に比して耐久性に優れた丈夫な布材が適用される。アンダーウエア１１は、この装着領域１２Ａの布材がその上下のメッシュ材と縫い合わされて前身頃１２が作成される。またこの縫い合わせの部位では裏面側（人肌側）に凹凸が発生しないように、フラットシーマ法により縫製される。これによりアンダーウエア１１は、装着領域１２Ａに計測用ベルト２を装着した場合に、装着領域１２Ａによる違和感が発生しないようにする。
【００２１】
装着領域１２Ａは、さらに一定の間隔で、４つの開口が設けられ、この実施形態ではこの開口が上下方向に延長するスリットＳＬ１〜ＳＬ４により作製される。ここで各スリットＳＬ１〜ＳＬ４は、垂直方向に延長するように、かつ計測用ベルト２を挿通することができる大きさにより作製される。また各スリットＳＬ１〜ＳＬ４は、繰り返し計測用ベルト２を挿通してもほつれ等が発生しないように、端部を外側に折り返して縫製される。
【００２２】
より具体的に第１のスリットＳＬ１は、前身頃１２と後身頃１３との縫製を部分的に中止して作製される。中央の２つのスリットＳＬ２及びＳＬ３は、図１に示すように、計測用ベルト２を装着した際に、送信部７の両側端より両脇側（外方）に偏った位置に設けられる。また第４のスリットＳＬ４は、第１のスリットＳＬ１と同様に、前身頃１２と後身頃１３との縫製を部分的に中止して作製され、これにより第１及び第４のスリットＳＬ１及びＳＬ４は、計測用ベルト２を装着した際に、電極８Ａ及び８Ｂより両脇側（外方）に偏った位置に設けられる。
【００２３】
これにより図１に示すように、アンダーウエア１１は、これら４つのスリットＳＬ１〜ＳＬ４を順次挿通するように計測用ベルト２を装着することにより、第１及び第２のスリットＳＬ１及びＳＬ２の間では、計測用ベルト２が内側に露出するように保持して第１の電極８Ａを内側に露出させる。また第２及び第３のスリットＳＬ２及びＳＬ３の間では、計測用ベルト２が外側に露出するように保持して送信部７を外側に露出させる。また第３及び第４のスリットＳＬ３及びＳＬ４の間では、計測用ベルト２が内側に露出するように保持して第２の電極８Ｂを内側に露出させる。これによりアンダーウエア１１は、心拍を計測できるように計測用ベルト２を保持して、スリットＳＬ１〜ＳＬ４により計測用ベルト２の下方への変位を防止し、計測用ベルト２の位置ずれ、落下を防止する。
【００２４】
このようにしてアンダーウエア１１により計測用ベルト２の位置ずれ、落下を防止することにより、わざわざ落下防止用の肩掛けベルト等の構成を設けなくても、ウエアを有効に利用して計測用ベルトの位置ずれ、落下を防止することができ、心拍の測定に係る計測用ベルトの位置ずれ、落下を簡易な手法により防止することができる。またさらにこの実施形態では、それ程強く計測用ベルト２をしめつけなくても、充分に運動中、作業中の心拍を計測することができる。従って何ら計測用ベルト２を装着していない、より自然に近い条件で、心拍を計測することができる。またこの実施形態では、送信部７が外側に露出するように配置されることにより、肌から発汗した汗が、直接、送信部７に付着しないようにすることができ、これにより送信部７の信頼性を向上することができる。
【００２５】
以上の構成によれば、アンダーウエアの胸部に順次第１から第４の開口を設け、この第１から第４の開口を順次挿通して計測用ベルトを装着できるようにすることにより、ウエアを有効に利用して計測用ベルトの位置ずれ、落下を防止することができ、心拍の測定に係る計測用ベルトの位置ずれ、落下を簡易な手法により防止することができる。
【００２６】
またさらに計測用ベルトの装着個所に対応する部位に装着領域を設け、この装着領域に他の部位とは異なる材料を適用して第１から第４の開口を設けることにより、充分な強度を確保することができる。
【００２７】
〔他の実施形態〕
以上、本考案の実施に好適な具体的な構成を詳述したが、本考案は、本考案の趣旨を逸脱しない範囲で、上述の実施形態の構成を種々に変更することができる。
【００２８】
すなわち上述の実施形態では、ウエアの前面側のみスリットを設ける場合について述べたが、本考案はこれに限らず、背面側にもスリットを設け、一段とずり落ちを防止するようにしても良い。
【００２９】
また上述の実施形態では、スリットにより開口を設ける場合について述べたが、本考案はこれに限らず、要は計測用ベルトを挿通することができる開口であれば良く、スリットに代えて例えば楕円形状の開口等を設けるようにしても良い。
【００３０】
また上述の実施形態では、前身頃の装着領域に、他の箇所とは異なる素材を適用する場合について述べたが、本考案はこれに限らず、前身頃全体にこの装着領域１２Ａの素材を適用しても良く、また種々に装着領域１２Ａに係る素材の形状を変形させても良い。
【００３１】
また上述の実施形態では、本考案をアンダーウエアに適用する場合について述べたが、本考案はこれに限らず、例えばユニフォーム等、要は直接、上半身に装着する各種のウエアに広く適用することができる。
【符号の説明】
【００３２】
１  心拍計測システム
２  計測用ベルト
２Ａ、２Ｂ  接続部
３  モニタ装置
４  前側ベルト
５  背面側ベルト
５Ａ  長さ調整部
７  送信部
８Ａ、８Ｂ  電極
１１  アンダーウエア
１２  前身頃
１２Ａ  装着領域
１３  後身頃
１４Ａ、１４Ｂ  
【図１】
0003172918.tif 000003
【図２】
0003172918.tif 000004
【図３】
0003172918.tif 000005